(57)【要約】【課題】接着剤の硬化収縮に伴う光検出素子の位置ずれが生じ難い光ピックアップを提供する。【解決手段】光ピックアップは、光ディスクで反射された戻り光を受光する受光部１７が光学台２に接着固定される。受光部１７は、光検出素子１７１と光検出素子１７１が搭載されるプレート１７２とを有し、プレート１７２が光学台２に接着剤２０で固定されることにより光学台２に接着固定されている。プレート１７２は、平面視略円形状である。【選択図】図３
2010282700.tif 000002
【特許請求の範囲】
【請求項１】
光ディスクで反射された戻り光を受光する受光部が光学台に接着固定される光ピックアップであって、
前記受光部は、光検出素子と該光検出素子が搭載されるプレートとを有し、前記プレートが前記光学台に接着剤で固定されることにより前記光学台に接着固定されており、
前記プレートは、平面視略円形状であることを特徴とする光ピックアップ。
【請求項２】
前記光学台には複数のボス部が形成されており、
前記受光部は、前記ボス部と前記プレートとの間に接着剤を介在させて前記光学台に接着固定されていることを特徴とする請求項１に記載の光ピックアップ。
【請求項３】
前記プレートが４箇所で前記光学台に接着固定されていることを特徴とする請求項１又は２に記載の光ピックアップ。
【請求項４】
前記光検出素子には、互いに異なる波長の光を受光する２種類の受光領域が形成されていることを特徴とする請求項１から３のいずれかに記載の光ピックアップ。
【発明の詳細な説明】
【技術分野】
【０００１】
本発明は光ピックアップに関し、詳細には光検出素子を装備したプレートが光学台に接着剤で固定された構造を有する光ピックアップに関する。
【背景技術】
【０００２】
従来、ＣＤやＤＶＤ等の光ディスクに記録される情報の読み取りや、光ディスクへの情報の書き込みを行うために光ピックアップが使用されている。光ピックアップは、光源と、光検出素子（フォトディテクタ；ＰＤ）と、光源から出射された光を光ディスクへと導くと共に光ディスクで反射された戻り光を光検出素子へと導く光学系（これは複数の光学部材で構成される）と、を備える。そして、これらの部材は、光ピックアップを構成するスライドベース（光学台）上に搭載される。
【０００３】
なお、従来においては、光検出素子は平面視長方形状の回路基板（プレート）に装備される。そして、このプレートがスライドベースに接着固定されることによって、光検出素子はスライドベース上に搭載される構成となっている。
【０００４】
光ピックアップにおいてスライドベースに搭載される部材のうち、光検出素子は光ピックアップの組み立て工程の最終工程でスライドベースに固定配置される。このため、光検出素子の最終的な位置が狙いの位置からずれると、直接的に光ピックアップの性能に影響を及ぼす。そして、光検出素子の最終的な位置が狙いの位置からずれると、組み立てられた光ピックアップの読み取り性能が予め定められた性能限界を下回ることがあり、問題となる。
【０００５】
特に、光検出素子の固定配置は、光検出素子を狙いの位置に配置した後に接着するという手順で行われるが、接着剤の硬化収縮が原因となって光検出素子の位置ずれが発生して、光ピックアップの性能が性能限界を下回ることがある。このため、接着剤の硬化収縮によって光検出素子が位置ずれを起こさないような光ピックアップが望まれる。
【０００６】
また、組み立て工程における光検出素子の位置調整が正確に行われても、温度や湿度等の環境変化によって接着剤が収縮又は膨張を起こし、光検出素子が位置ずれを起こす場合がある。このようなことを踏まえて、従来、光ピックアップの組み立て後に環境試験が行われる。そして、環境試験によって光検出素子が予め決められた基準を超えて位置ずれを起こした場合には、その光ピックアップは不良品をして扱われることになり、光ピックアップの製造コストを引き上げる原因となる。このため、環境変化によって光検出素子が位置ずれを起こさないような光ピックアップが望まれる。
【０００７】
このようなことから、従来、光ピックアップの分野では、接着剤の硬化収縮に伴う光検出素子の位置ずれや、環境変化に伴う接着剤の収縮又は膨張による光検出素子の位置ずれを抑制する技術について研究が行われている（特許文献１、２を参照）。
【０００８】
特許文献１においては、板片状の取付片（光検出素子を備えるプレート）の外周囲端面とその外周囲端面に対峙する姿勢で取付台（スライドベース）に設けられた接合面との隙間に接着剤を装填して、プレートがスライドベースに固定される構成が開示されている。そして、これによると、接着剤が収縮又は膨張したとしても、その影響で光検出素子がフォーカス方向に位置ずれを起こすのを防止できるとされている。
【０００９】
また、特許文献２においては、フォトダイオード（光検出素子）を装備したプレートが、光学台（スライドベース）との間に微小隙間を保持した状態で当該光学台に接着剤層を介して接合される光ピックアップが開示されている。より詳細には、プレートの複数箇所に円形の貫通孔部が開設され、接着剤層は、複数箇所の貫通孔部に注入した接着剤をその貫通孔部から下方にはみ出させて光学台の上表面に達した状態で硬化させることにより形成されている。そして、これによると、複数の接合箇所での接着剤層の硬化収縮に伴う力をバランスさせてフォトダイオードの初期の位置決め精度を接合後にもそのまま保つことができるとされている。
【先行技術文献】
【特許文献】
【００１０】
【特許文献１】特開２００８−２９３５４６号公報
【特許文献２】特開２００４−３１８９７４号公報
【発明の概要】
【発明が解決しようとする課題】
【００１１】
ここで、従来の光ピックアップの問題点について図面を参照しながら説明する。図６は、従来の光ピックアップの構成を示す概略平面図である。図６に示すように、従来の光ピックアップ１００は、光源１１と、ビームスプリッタ１２と、コリメートレンズ１３と、立上げミラー１４と、対物レンズ１５と、光検出器１６と、を備える。これらの部材は、スライドベース２に搭載される。なお、対物レンズ１５については、図示しない対物レンズアクチュエータに搭載されてフォーカス方向及びトラック方向に移動可能な状態で、スライドベース２に搭載される。
【００１２】
この光ピックアップ１において、光源１１から出射された光は、ビームスプリッタ１２で反射され、コリメートレンズ１３で平行光に変換される。そして、コリメートレンズ１３から出射された平行光は立上げミラー１４によって反射された後、対物レンズ１５によって光ディスク（図示せず；図５の紙面手前側に配置される）の記録面に集光される。記録面に集光された光は反射され、この反射された戻り光は、対物レンズ１５、立上げミラー１４、コリメートレンズ１３の順に通過し、ビームスプリッタ１２を透過して光検出器１６へと至る。光検出器１６は、受光した光信号を光電変換して電気信号を出力する。光検出器１６から出力された電気信号を処理することによって、再生信号やサーボ信号が得られる。
【００１３】
ところで、この光ピックアップ１は、ＤＶＤ及びＣＤに対応可能となっており、光源１１はＤＶＤ用のレーザ光（波長６５０ｎｍ）とＣＤ用のレーザ光（波長７８０ｎｍ）を切り換えて出射できるようになっている。このような光源１１は、例えば、１チップ中に２つの発光点を有するモノリシックレーザによって実現しても良いし、異なる波長を発光する２つのレーザチップを集積して構成されたハイブリッドレーザによって実現しても良い。
【００１４】
このように光源１１を構成する場合、図６に示すように、光源１１から出射されるＤＶＤ用のレーザ光Ｌ１（実線で示す）とＣＤ用のレーザ光２（破線で示す）は異なる発光点から出射されるために、光検出器１６に集光するレーザ光の位置は、ＤＶＤ用のレーザ光Ｌ１とＣＤ用のレーザ光Ｌ２とでずれが生じる。このため、光検出器１６はＤＶＤ用のレーザ光Ｌ１とＣＤ用のレーザ光Ｌ２とを別々の位置で検出するようになっている。
【００１５】
図７は、従来の光ピックアップが備える光検出器の構成を示す概略平面図である。図７に示すように、従来の光ピックアップ１００が備える光検出器１６は、光検出素子１６１と、光検出素子１６１を搭載する平面視略長方形状のＰＤプレート（回路基板）１６２と、を有する。そして、光検出素子１６１には、ＤＶＤ用のレーザ光とＣＤ用のレーザ光とを別々の位置で検出できるように、ＤＶＤ用のレーザ光Ｌ１を受光するＤＶＤ受光領域１６１ａとＣＤ用のレーザ光Ｌ２を受光するＣＤ受光領域１６１ｂと、が形成されている。
【００１６】
図８は、従来の光ピックアップにおける光検出器のスライドベースへの取り付け構造を説明するための図で、図８（ａ）は光検出器とスライドベースとの関係を示す概略側面図、図８（ｂ）は光検出器とスライドベースとの関係を示す概略正面図である。なお、図８（ａ）では光ピックアップ１００が備えるスライドベース２の一部を示している。スライドベース２には光検出器１６に戻り光が入射できるように図示しない貫通孔が形成されている。また、図８（ｂ）において光検出素子１６１を破線で示すのは、光検出素子１６１が紙面奥側に存在して実際には見えないからである。
【００１７】
図８に示すように、平面視略長方形状のＰＤプレート１６２は、四隅がスライドベース２に接着固定された状態で、スライドベース２に固定配置される。より詳細には、スライドベース２に設けられる４つのボス部２ａ（平面視略三角形状）と、ＰＤプレート１６２の四隅との間に接着剤２０を充填することによって、ＰＤプレート１６２は、その四隅がボス部２ａに接着固定された状態となっている。
【００１８】
ここで、光検出器１６のスライドベース２への取り付け手順の一例について説明する。まず、図示しない治具によって光検出器１６を保持した状態で、光検出器１６をスライドベース２の固定位置近傍に移動する。そして、光源１１から出射されて光ディスクで反射された戻り光が光検出素子１６１の適切な位置で受光されるように位置の調整を行う。
【００１９】
この位置調整にあたっては、光検出素子１６１にはＤＶＤ受光領域１６１ａとＣＤ受光領域１６１ｂとの２種類の受光領域が存在するために、まず、いずれか一方について、Ｘ、Ｙ、Ｚの直交する３軸方向の位置調整を行う。次に、他方の受光領域についても位置の調整を行うべく、光検出器１６（ＰＤプレート１６２）をＸＹ平面内で回転する回転調整を行う。
【００２０】
なお、Ｚ方向は、光検出器１６に入射する戻り光の進行方法と平行な方向である。また、ＸＹ平面はＸ軸とＹ軸との両方に対して平行となる平面でＺ方向と垂直な平面である。
【００２１】
このようにして、光検出器１６の位置が決まると光硬化型の接着剤２０（ＵＶ接着剤等）が、ディスペンサによってＰＤプレート１６２とボス部２ａの間に所定量充填され、ＵＶ照射機でＵＶ光を照射することによって接着剤が硬化される。その後、治具を取り外すことによって、光検出器１６のスライドベース２への取り付け作業が終了する。
【００２２】
ところで、光ピックアップ１においては、スライドベース２への光検出器１６の取り付け時に、上述のように光検出素子１６１の位置調整をすべく、ＰＤプレート１６２の回転調整を行う。この場合、ボス部２ａは固定状態でＰＤプレート１６２のみが回転されるために、図９に示すように、ＰＤプレート１６２の角部（４つ存在し、４つの角部が上述の四隅に相当する）とボス部２ａとの関係について、全ての角部で同じという状態ではなくなることがある。
【００２３】
このために、ディスペンサを用いて接着剤の充填量を４つの角部（四隅）で同じとしているにもかかわらず、ＰＤプレート１６２の各角部に載置される接着剤の量に差が生じることがある。そして、このようにＰＤプレート１６２の４つの角部で接着剤の載置量が不均一な状態で接着剤を硬化させると、接着剤の硬化収縮に伴ってＰＤプレート１６２（光検出器１６）に加わる力の不均衡（アンバランス）が生じてしまう。その結果、光検出器１６の位置が動いてしまい、先に適切な位置に調整した光検出素子１６１の位置について位置ずれが生じてしまう。
【００２４】
なお、図９は、従来の光ピックアップにおいて生じる光検出素子の位置ずれを説明するための図である。
【００２５】
以上のような状況から、接着剤の硬化収縮に伴う光検出素子の位置ずれを抑制できる光ピックアップが望まれた。なお、特許文献１の構成を採用しても、ＰＤプレートの回転調整が行われる場合には、上述の場合と同様に、ＰＤプレートの四隅で接着剤の載置量の不均一が生じて光検出素子の位置ずれが生じてしまう。また、特許文献２の構成では、接着剤の載置量が不均一となるという問題は抑制できるが、接合強度が不十分となる場合があり、改善の余地があった。
【００２６】
そこで、本発明の目的は、接着剤の硬化収縮に伴う光検出素子の位置ずれが生じ難い光ピックアップを提供することである。また、本発明の他の目的は、環境変化に伴う光検出素子の位置ずれが生じ難い光ピックアップを提供することである。
【課題を解決するための手段】
【００２７】
上記目的を達成するために本発明の光ピックアップは、光ディスクで反射された戻り光を受光する受光部が光学台に接着固定される光ピックアップであって、前記受光部は、光検出素子と該光検出素子が搭載されるプレートとを有し、前記プレートが前記光学台に接着剤で固定されることにより前記光学台に接着固定されており、前記プレートは、平面視略円形状であることを特徴としている。
【００２８】
本構成によれば、光検出素子が搭載されるプレートが平面視略円形状であるために、プレートのＸＹ平面（戻り光の入射方向に対して垂直な面）内での回転調整前後で、プレートの外周と光学台の接着箇所（こちらは固定されて動かない）との関係をほぼ同一の関係に保てる。すなわち、プレートの回転調整が行われる場合でも、プレートに載置される接着剤の量が変動しないようにし易く、プレートの複数の接着箇所における接着剤の量を均一とし易い。このために、プレートが回転調整される構成の光ピックアップであっても、接着剤の硬化収縮に伴ってプレートに加わる力の均衡を保ち易く、光検出素子の位置ずれを抑制し易い。
【００２９】
また、本構成では、接着剤の硬化時にプレートが高温となって膨張する場合でも、プレートが平面視略円形状であるために、各接着箇所におけるプレートの膨張度に差が生じ難い。このため、接着剤を硬化収縮させた後に、光検出素子が狙いの位置から位置ずれを起こすのを抑制し易い。なお、このような効果が得られるために、本構成の光ピックアップは、光検出素子の取り付け時にプレートの回転調整を行わない構成の光ピックアップにとっても有効であると言える。
【００３０】
更に、本構成によれば、上述のような効果が得られるために、環境変化に伴う接着剤の収縮や膨張に伴う光検出素子の位置ずれについても抑制し易い。
【００３１】
上記構成の光ピックアップの具体的な構成として、前記光学台には複数のボス部が形成されており、前記受光部は、前記ボス部と前記プレートとの間に接着剤を介在させて前記光学台に接着固定されていることとしてもよい。
【００３２】
上記構成の光ピックアップにおいて、前記プレートが４箇所で前記光学台に接着固定されていることとしてもよい。本構成は、ＵＶ照射機のＵＶ光の照射範囲に制限がある場合に、できる限り光検出素子の位置ずれを発生させない構成として有効となり得る。
【００３３】
上記構成の光ピックアップにおいて、前記光検出素子には、互いに異なる波長の光を受光する２種類の受光領域が形成されていることとしてもよい。このような構成の光ピックアップでは、光検出素子の位置を調整するにあたって、プレートの回転調整が必要となる。ところで、本構成では、プレートが回転調整される場合でも光検出素子の位置ずれを抑制し易いという効果を有する。すなわち、本構成は本発明の好適な形態と言える。
【発明の効果】
【００３４】
本発明の光ピックアップによれば、接着剤の硬化収縮に伴う光検出素子の位置ずれを生じ難くできる。また、本発明の光ピックアップによれば、環境変化に伴う光検出素子の位置ずれを生じ難くできる。
【図面の簡単な説明】
【００３５】
【図１】本実施形態の光ピックアップの構成を示す概略平面図
【図２】本実施形態の光ピックアップが備える光検出器の構成を示す概略平面図
【図３】本実施形態の光ピックアップにおける光検出器のスライドベースへの取り付け構造を示す概略正面図
【図４】本発明の光ピックアップの別実施形態を説明するための図
【図５】本実施形態の光ピックアップにおいて、ＰＤプレートの接着箇所を４箇所とする理由を説明するための模式図
【図６】従来の光ピックアップの構成を示す概略平面図
【図７】従来の光ピックアップが備える光検出器の構成を示す概略平面図
【図８】従来の光ピックアップにおける光検出器のスライドベースへの取り付け構造を説明するための図
【図９】従来の光ピックアップにおいて生じる光検出素子の位置ずれを説明するための図
【発明を実施するための形態】
【００３６】
以下、本発明の光ピックアップの実施形態について、図面を参照しながら詳細に説明する。
【００３７】
図１は、本実施形態の光ピックアップの構成を示す概略平面図である。図１に示すように、本実施形態の光ピックアップ１は、上述した従来の光ピックアップ１００とほぼ同様の構成である。本実施形態の光ピックアップ１は、光検出器１７の構成について従来の光ピックアップ１００と異なる。このために、以下では従来と構成が異なる光検出器１７について説明する。また、従来の光ピックアップ１００と重複する部分については、同一の符号を付し、特に必要がない場合には説明を省略する。
【００３８】
図２は、本実施形態の光ピックアップが備える光検出器の構成を示す概略平面図である。本実施形態の光ピックアップが備える光検出器１７は、光検出素子１７１と、ＰＤプレート１７２と、備える。なお、光検出器１７は、本発明の光ピックアップが備える受光部の実施形態である。
【００３９】
光検出素子１７１は従来の光ピックアップ１００が備える光検出素子１６１と同様の構成であり、ＤＶＤ用のレーザ光を受光するＤＶＤ受光領域１７１ａと、ＣＤ用のレーザ光を受光するＣＤ受光領域１７１ｂと、が形成されている。ＰＤプレート１７２は、この光検出素子１７２を搭載する回路基板であり、図示しない配線パターンが形成されている。また、図示しないが、このＰＤプレート１７２にはフレキシブルプリント基板と電気的に接続されている。これにより、光検出素子１７１から出力される電気信号が、光ピックアップ１の動作を制御する制御基板（図示せず）へと出力されるようになっている。
【００４０】
ＰＤプレート１７１は、平面視略円形状となっている。この点、ＰＤプレート１６１（図６参照）が平面視略長方形状である従来の光ピックアップ１と異なっている。上述のように本実施形態の光検出器１７が備える光検出素子１７１は２種類の受光領域１７１ａ、１７１ｂを有する。このために、本実施形態の光ピックアップ１においても光検出器１７は、光検出素子１７１の位置合わせのために回転調整（ＸＹ平面内での回転調整）が必要となる。この点、本実施形態の光ピックアップ１ではＰＤプレート１７１を平面視略円形状としているために、上述した接着剤の硬化収縮に伴う光検出素子の位置ずれといった問題（従来の光ピックアップ１００の問題点）を解消することが可能となっている。
【００４１】
この理由について、図３を参照しながら説明する。図３は、本実施形態の光ピックアップにおける光検出器のスライドベースへの取り付け構造を示す概略正面図である。図３（ｂ）は、図３（ａ）の状態から光検出器１７（ＰＤプレート１７２）をＸＹ平面内で反時計周り方向に回転した状態を示している。なお、図３において、光検出素子１７１を破線で示すのは、光検出素子１７１が紙面奥側に存在して実際には見えないからである。
【００４２】
図３に示すように、本実施形態の光ピックアップ１においても従来の光ピックアップ１００と同様に、スライドベース２には平面視略三角形状の４つのボス部２ａが形成されている。そして、平面視略円形状のＰＤプレート１７２は、４つのボス部２ａとの間に充填される接着剤２０（本実施形態ではＵＶ接着剤）を介してスライドベース２に固定されるようになっている。
【００４３】
この構成においては、ＰＤプレート１７２が平面視略円形状であるために、ＰＤプレート１７２をＸＹ平面（図３では紙面が該当）内で回転しても、ＰＤプレート１７２の外周と４つのボス部２ａとの位置関係がほとんど変わらないようにできる（図３（ａ）と図３（ｂ）を比較すればわかる）。このため、ディスペンサを用いることによって４つの接着箇所で接着剤２０の充填量が同一量となるようにしておけば、ＰＤプレート１７２を回転調整する場合でもいずれの接着箇所においてもＰＤプレート１７２に載置される接着剤の量を同等とし易い。したがって、接着剤の硬化収縮に伴ってＰＤプレート１７２に加わる力の均衡を保ち易く、光検出素子１７１の位置ずれを抑制し易い。
【００４４】
なお、ＵＶ照射機によってＵＶ接着剤２０にＵＶ光を照射して硬化する際に、ＰＤプレート１７２は高温となって膨張することがある。この点、本実施形態の光ピックアップ１によれば、ＰＤプレート１７２が平面視円形状であるために、４つの接着箇所におけるＰＤプレート１７２の膨張度に差が生じ難い。この意味においても、本実施形態の光ピックアップ１では、接着剤を硬化収縮させた後に、光検出素子１７１が狙いの位置から位置ずれを起こすのを抑制し易くなっている。
【００４５】
また、本実施形態の光ピックアップ１においては、ＰＤプレート１７２に載置される接着剤２０の量を各接着箇所で均一とし易い。このために、環境変化によって接着剤２０が収縮や膨張してもＰＤプレート１７２にアンバランスな力が加わり難く、光検出素子１７１が位置ずれを起こすのを抑制し易い。
【００４６】
また、本実施形態のようにＰＤプレート１７２を平面視略円形状とすると、ＰＤプレートを略長方形状とする場合に比べて、ベース部材からのＰＤプレート１７２の取り数が減少する場合がある。しかしながら、本実施形態のようにＰＤプレート１７２を構成することで、組み立て終了段階における光ピックアップの不良数を抑制することが可能であり、光ピックアップの製造コストの抑制を見込める。
【００４７】
ところで、以上に示した実施形態においては、光検出器１７をスライドベース２に接着固定するにあたって、４箇所で接着固定することとしている。なお、本実施形態では、この４箇所は、略円形状のＰＤプレート１７２の中心を基準に、略９０度置きに設けられる構成としている。しかしながら、光検出器１７をスライドベース２に接着固定する場合の接着箇所は、本実施形態の構成に限定される趣旨ではない。接着剤の硬化収縮に伴って光検出器１７に加わる力の均衡を保って（合力をほぼゼロとして）、光検出素子１７１の位置ずれを抑制できれば、他の構成でも構わない。
【００４８】
例えば、図４に示すように、ＰＤプレート１７２の接着箇所を、略円形状のＰＤプレート１７２の中心を基準に、略１２０度置きに計３箇所配置する構成としてもよい。なお、図４は、本発明の光ピックアップの別実施形態を説明するための図である。ただし、本実施形態においては、より望ましい構成として接着箇所を４箇所としている。これについて、図５を参照しながら説明する。
【００４９】
なお、図５は、本実施形態の光ピックアップにおいて、ＰＤプレート１７２の接着箇所を４箇所とする理由を説明するための模式図である。図５（ａ）は本実施形態の構成を示しており、ＰＤプレートの接着箇所が４箇所の場合を示す。図５（ｂ）は、本実施形態との比較のための図で、ＰＤプレートの接着箇所が３箇所の場合を示す。
【００５０】
上述のように、本実施形態の光ピックアップ１では、ＵＶ接着剤を用いてＰＤプレート１７２をスライドベース２に接着固定している。この場合、ＵＶ照射機を用いて接着箇所にＵＶ光を照射する必要があるが、ＵＶ照射機によってＵＶ光を照射できる範囲は限られている。なお、図５に破線で示す円は、ＵＶ光を照射できる最大範囲を示している。
【００５１】
図５に示すように、ＰＤプレート１７２の接着箇所を３箇所とする場合（図５（ｂ）の場合）には、隣り合う接着箇所の距離が、ＰＤプレート１７２の接着箇所を４箇所とする場合（図５（ａ）の場合）に比べて長くなる。このために、１つのＵＶ照射機でまとめて２つの接着箇所を照射することはできない（破線の円内に２つの接着箇所が収まらない）。その結果、図５（ｂ）の場合には、ＰＤプレート１７２の接着箇所を３箇所とする必要がある。一方、本実施形態の場合（図５（ａ）の場合）は、１つのＵＶ照射機でまとめて２つの接着箇所を照射することができ（破線の円内に２つの接着箇所が収められる）、２つのＵＶ照射機で済む。
【００５２】
ＵＶ接着剤を硬化するにあたっては、各接着箇所でＵＶ接着剤の硬化に伴って発生する力の均衡を保つために、各接着箇所でＵＶ光の照射条件（照射時間や光の照射量等）を同一とすることが望まれる。この点、複数のＵＶ照射機を使用すると、上記照射条件のバラツキが生じ易い。このため、ＵＶ接着剤の硬化時に使用するＵＶ照射機の数はできる限り少ないのが好ましい。このようなことを考慮して、本実施形態では、ＵＶ照射機の数を増やすことに伴う悪影響を避けるべく、ＰＤプレート１７２の接着箇所を４箇所としているのである。
【００５３】
更に詳細に言えば、ＰＤプレート１７２の接着箇所を多くすると、それだけ接着剤の硬化収縮に伴ってＰＤプレート１７２がアンバランスな力を受け易くなる。したがって、この点と、上述した照射機の数の増加に伴う悪影響の抑制とを考慮して、本実施形態では、ＰＤプレート１７２の接着箇所を４箇所としている。なお、１つのＵＶ照射機で３つの接着箇所を同時に照射することが可能な状況であれば、接着箇所は３つとするのが好ましいということになる。
【００５４】
その他、以上に示した実施形態は例示であって、本発明が適用される範囲は以上に示した実施形態に限定されないのは言うまでもない。
【００５５】
例えば、本実施形態においては、スライドベース２にボス部２ａを設け、これを用いて光検出器１７の接着固定を行う構成としている。しかし、ボス部２ａを設けない構成でも、光検出器１７のＰＤプレート１７２をスライドベース２に接着して、スライドベース２に光検出器１７を接着固定できる。このため、そのような変形例も本発明の範囲に含まれる。
【００５６】
また、本実施形態では、光源１１が２波長レーザであって光検出素子１７１が２種類の受光領域を備える構成とした。しかし、光検出素子が有する受光領域が１種類のみである光ピックアップに本発明を適用するのも有効であり、そのような構成の光ピックアップも本発明の範囲に含まれる。ＰＤプレートを略円形状とした場合、上述のようにＵＶ光の照射に伴うＰＤプレートの膨張度を均一とし易い。このために、接着剤の硬化収縮に伴ってＰＤプレートにアンバランスな力が加わるのを抑制し易く、光検出素子が狙いの位置から位置ずれを起こすのを抑制し易い。
【００５７】
また、本実施形態では、光ピックアップがＤＶＤ及びＣＤに対応する構成としたが、本発明が適用される光ピックアップが対応可能な光ディスクの種類は、これに限らないのは言うまでもない。
【産業上の利用可能性】
【００５８】
本発明は、光検出素子を装備した基板が光学台に接着剤で固定された構造を有する光ピックアップに有効に適用でき、産業上利用可能である。
【符号の説明】
【００５９】
１  光ピックアップ
２  スライドベース（光学台）
２ａ  ボス部
１７  光検出器（受光部）
２０  接着剤
１７１  光検出素子
１７１ａ  ＤＶＤ受光領域
１７１ｂ  ＣＤ受光領域
１７２  ＰＤプレート
【図１】
2010282700.tif 000003
【図２】
2010282700.tif 000004
【図３】
2010282700.tif 000005
【図４】
2010282700.tif 000006
【図５】
2010282700.tif 000007
【図６】
2010282700.tif 000008
【図７】
2010282700.tif 000009
【図８】
2010282700.tif 000010
【図９】
2010282700.tif 000011